(57)【要約】      （修正有）【課題】使用者の頭部に簡単にフィットさせることができる眼鏡を提供する。【解決手段】左右一対のレンズＬを有するフロント部Ｆと、フロント部Ｆの両端から後方に延びるサイド部材１０とを備えた眼鏡１００であって、サイド部材１０が、テンプル部Ｔと、テンプル部Ｔに取り付けられたモダン部Ｍとからなり、サイド部材１０には、下方に延びる支持部３が設けられており、支持部３が、使用者の側顔部に当接される当接部と、当接部とサイド部材１０とを連結する連結部とを有し、連結部が水平外側方向に変形する形状弾性体である眼鏡１００である。【選択図】図１
0003199832.tif 000002
【実用新案登録請求の範囲】
【請求項１】
左右一対のレンズを有するフロント部と、該フロント部の両端から後方に延びるサイド部材とを備えた眼鏡であって、
前記サイド部材が、テンプル部と、該テンプル部に取り付けられたモダン部とからなり、
前記サイド部材には、下方に延びる支持部が設けられており、
該支持部が、使用者の側顔部に当接される当接部と、該当接部と前記サイド部材とを連結する連結部とを有し、
前記連結部が水平外側方向に変形する形状弾性体である眼鏡。
【請求項２】
前記テンプル部と前記モダン部とが別体となっており、該モダン部が該テンプル部から着脱自在となっている請求項１記載の眼鏡。
【請求項３】
前記サイド部材が、後方に向けて上下に分岐している請求項１又は２に記載の眼鏡。
【請求項４】
前記当接部が前記サイド部材と側面視で略平行となるように前後方向に延びている請求項１〜３のいずれか１項に記載の眼鏡。
【請求項５】
前記連結部が、前記当接部の前後方向の中間の位置で連結されている請求項４記載の眼鏡。
【請求項６】
前記連結部が、前記当接部の前後方向の前端又は後端の位置で連結されている請求項４記載の眼鏡。
【請求項７】
前記連結部が前記サイド部材から内側の斜め下方向に延びている請求項１〜６のいずれか１項に記載の眼鏡。
【請求項８】
前記連結部が湾曲している請求項１〜７のいずれか１項に記載の眼鏡。
【請求項９】
前記連結部が、前記テンプル部に設けられている請求項１〜８のいずれか１項に記載の眼鏡。
【請求項１０】
前記連結部が、前記モダン部に設けられている請求項１〜８のいずれか１項に記載の眼鏡。
【請求項１１】
前記支持部が、前記サイド部とは別体になっている請求項１〜１０のいずれか１項に記載の眼鏡。
【請求項１２】
前記連結部と前記当接部とが別体になっている請求項１〜１１のいずれか１項に記載の眼鏡。
【請求項１３】
前記連結部が、板バネからなる請求項１〜１２のいずれか１項に記載の眼鏡。
【考案の詳細な説明】
【技術分野】
【０００１】
本考案は、眼鏡に関し、更に詳しくは、使用者の頭部に簡単にフィットさせることができると共に、掛け心地にも優れる眼鏡に関する。
【背景技術】
【０００２】
眼鏡は一般に、左右一対のレンズを有するフロント部と、フロント部の両側から後方に延びるテンプル部と、テンプル部に取り付けられるモダン部とから構成される。
かかる眼鏡は、使用者の頭部を両側からモダン部で挟み込み、フロント部に設けられた鼻パッドを鼻に当てると共に、モダン部を耳に掛けることにより着用される。
【０００３】
ところで、鼻の高さには個人差があるため、従来の眼鏡を着用した場合、必ずしも鼻パッドが鼻に当たるとはいえない。例えば、使用者の鼻が低い場合には、鼻パッドにより眼鏡が支持されず、眼鏡がずれ易くなるという欠点がある。  また、従来の眼鏡は、長時間着用すると、当てられた鼻パッドの跡が鼻に残るという問題もある。
【０００４】
これに対し、鼻パッドを有さない眼鏡が開発されている。
例えば、眼鏡の左右の横部材それぞれの内側面に、滑り止め片を先端部に備えたずり落ち防止部（支持部）を設けた眼鏡つるが知られている（例えば、特許文献１参照）。
また、眼鏡フレーム両側のテンプルの内面に、固定式アーム（支持部）を取り付け、頬骨の上面でフレームを支えるようにしたサイドパッド眼鏡フレームが知られている（例えば、特許文献２参照）。
さらに、ツル又はヨロイからアーム（支持部）を下方へ延ばし、該アーム先端にはパットを取付け、該パットが顔の頬骨に当ってフロント部を支えるようにしたメガネフレームが知られている（例えば、特許文献３参照）。
これらの眼鏡においては、鼻で支持されるのではなく、支持部を頬骨等に当てて支持されるようになっている。
【先行技術文献】
【特許文献】
【０００５】
【特許文献１】特開平１０−１６１０６８号公報
【特許文献２】特開２００６−７２２７５号公報
【特許文献３】特開２００８−２０６７８号公報
【考案の概要】
【考案が解決しようとする課題】
【０００６】
しかしながら、上記特許文献１〜３に記載の眼鏡は、使用者によっては支持部のフィット感が必ずしも優れているとはいえない。すなわち、使用者の頬骨の位置、頭部の形状等にも個人差があるため、支持部がこれらにフィットせず、結果として、着用した後、眼鏡がずれ易くなるという欠点がある。
【０００７】
本考案は上記事情に鑑みてなされたものであり、使用者の頭部に簡単にフィットさせることができる眼鏡を提供することを目的とする。
【課題を解決するための手段】
【０００８】
本考案者らは、上記課題を解決するため鋭意検討したところ、支持部の連結部を、水平外側方向に変形する形状弾性体とすることにより、上記問題点を解決できることを見出し、本考案を完成させるに至った。
【０００９】
本考案は、（１）左右一対のレンズを有するフロント部と、該フロント部の両端から後方に延びるサイド部材とを備えた眼鏡であって、サイド部材が、テンプル部と、該テンプル部に取り付けられたモダン部とからなり、サイド部材には、下方に延びる支持部が設けられており、該支持部が、使用者の側顔部に当接される当接部と、該当接部とサイド部材とを連結する連結部とを有し、連結部が水平外側方向に変形する形状弾性体である眼鏡に存する。
【００１０】
本考案は、（２）テンプル部とモダン部とが別体となっており、該モダン部が該テンプル部から着脱自在となっている上記（１）記載の眼鏡に存する。
【００１１】
本考案は、（３）サイド部材が、後方に向けて上下に分岐している上記（１）又は（２）に記載の眼鏡に存する。
【００１２】
本考案は、（４）当接部がサイド部材と側面視で略平行となるように前後方向に延びている上記（１）〜（３）のいずれか１つに記載の眼鏡に存する。
【００１３】
本考案は、（５）連結部が、当接部の前後方向の中間の位置で連結されている上記（４）記載の眼鏡に存する。
【００１４】
本考案は、（６）連結部が、当接部の前後方向の前端又は後端の位置で連結されている上記（４）記載の眼鏡に存する。
【００１５】
本考案は、（７）連結部がサイド部材から内側の斜め下方向に延びている上記（１）〜（６）のいずれか１つに記載の眼鏡に存する。
【００１６】
本考案は、（８）連結部が湾曲している上記（１）〜（７）のいずれか１つに記載の眼鏡に存する。
【００１７】
本考案は、（９）連結部が、テンプル部に設けられている上記（１）〜（８）のいずれか１つに記載の眼鏡に存する。
【００１８】
本考案は、（１０）連結部が、モダン部に設けられている上記（１）〜（８）のいずれか１つに記載の眼鏡に存する。
【００１９】
本考案は、（１１）支持部が、サイド部とは別体になっている上記（１）〜（１０）のいずれか１つに記載の眼鏡に存する。
【００２０】
本考案は、（１２）連結部と当接部とが別体になっている上記（１）〜（１１）のいずれか１つに記載の眼鏡に存する。
【００２１】
本考案は、（１３）連結部が、板バネからなる上記（１）〜（１２）のいずれか１つに記載の眼鏡に存する。
【考案の効果】
【００２２】
本考案の眼鏡においては、使用者の頭部を両側からサイド部材で挟み込み、使用者の側顔部に支持部を当接させることにより着用される。
このとき、支持部の連結部が、水平外側方向に変形する形状弾性体となっているため、使用者の頭部に簡単にフィットさせることができる。すなわち、連結部が水平外側に向かって平行に又は捻じれて変形するため、使用者の側顔部の形状に個人差があったとしても、確実に支持部を当接させることができる。
なお、連結部は、板バネからなるものであることが好ましい。この場合、支持部の当接部を使用者の側顔部に当接し易い。
また、本考案の眼鏡は、鼻パッドを有さないため、鼻パッドの跡が鼻に残るという事態が生じることはない。
【００２３】
本考案の眼鏡においては、サイド部材が、テンプル部と、モダン部とからなっている。
このとき、テンプル部とモダン部とが別体となっており、該モダン部が該テンプル部から着脱自在となっている場合、例えば、モダン部に破損等が生じた場合、簡単に取り換えることができる。また、衣装や髪型等に応じて、異なるデザインのモダン部に交換することもできる。
【００２４】
本考案の眼鏡においては、サイド部材が、後方に向けて上下に分岐している場合、着用した際の眼鏡の安定度が向上する。
【００２５】
本考案の眼鏡においては、当接部がサイド部材と側面視で略平行となるように前後方向に延びている場合、フィット感に優れると共に、着用した際の眼鏡の安定度が向上する。
また、連結部が、当接部の前後方向の中間の位置で連結されている場合、当接部による当接圧を全体的に均等に発揮することができる。
さらに、連結部が、当接部の前後方向の前端又は後端の位置で連結されている場合、当接部の当接具合を調整し易いという利点がある。
【００２６】
本考案の眼鏡においては、連結部がサイド部材から内側の斜め下方向に延びている場合、当接部を使用者の側顔部に当接させ易くなる。
また、連結部が湾曲している場合、一定の復元力を発揮するため、着用された際には、支持部が一定の当接圧で使用者の側顔部に当接されることになる。
したがって、着用した眼鏡が、よりずれ難くなるという利点がある。
【００２７】
本考案の眼鏡においては、連結部が、テンプル部に設けられている場合、モダン部を短く設定することができる。
また、連結部が、モダン部に設けられている場合、モダン部を交換することにより、連結部も簡単に交換することができる。これにより、使用者に適合する連結部を簡単に選択することができる。
【００２８】
本考案の眼鏡においては、支持部が、サイド部材とは別体になっている場合、サイド部材のみを簡単に交換することができる。
また、支持部が、サイド部材の長手方向に沿って移動可能である場合、サイド部材に対する支持部の位置を適宜調整することができる。
【００２９】
本考案の眼鏡においては、連結部と当接部とが別体になっている場合、当接部を連結部とは異なる材料からなるものとすることができる。例えば、連結部は、弾性の大きい材質とし、当接部は皮脂などによる劣化に強い材質や皮膚アレルギーの少ない材質とすることができる。
【図面の簡単な説明】
【００３０】
【図１】図１は、本考案に係る眼鏡の第１実施形態を示す斜視図である。
【図２】図２は、第１実施形態に係る眼鏡におけるテンプル部のみを示す上面図である。
【図３】図３の（ａ）は、第１実施形態に係る眼鏡のモダン部及び支持部を示す上面図であり、図３の（ｂ）は、その側面図である。
【図４】図４の（ａ）は、第１実施形態に係る眼鏡のサイド部材を示す上面図であり、図４の（ｂ）は、その側面図である。
【図５】図５は、第１実施形態に係る眼鏡を使用者が着用した状態を示す模式上面図である。
【図６】図６の（ａ）は、第２実施形態に係る眼鏡のサイド部材を示す上面図であり、図６の（ｂ）は、その側面図である。
【図７】図７の（ａ）は、第３実施形態に係る眼鏡のサイド部材を示す上面図であり、図７の（ｂ）は、その側面図である。
【図８】図８の（ａ）は、他の実施形態に係る眼鏡のテンプル部とモダン部とが一体となったサイド部材を示す上面図であり、図８の（ｂ）は、その側面図である。
【図９】図９の（ａ）は、他の実施形態に係る眼鏡の支持部とテンプル部とが一体となったサイド部材を示す上面図であり、図９の（ｂ）は、その側面図である。
【図１０】図１０の（ａ）は、他の実施形態に係る眼鏡の別体の支持部がテンプル部に設けられたサイド部材を示す上面図であり、図１０の（ｂ）は、その側面図である。
【図１１】図１１は、他の実施形態に係る眼鏡のサイド部材を示す模式図である。
【図１２】図１２の（ａ）及び（ｂ）は、本実施形態に係る眼鏡の支持部の変形方向を説明するための説明図である。
【図１３】図１３の（ａ）は、他の実施形態に係る眼鏡を示す上面図であり、図１３の（ｂ）は、その側面図である。
【図１４】図１４の（ａ）は、他の実施形態に係る眼鏡を示す上面図であり、図１４の（ｂ）は、その側面図である。
【考案を実施するための形態】
【００３１】
以下、必要に応じて図面を参照しつつ、本考案の好適な実施形態について詳細に説明する。なお、図面中、同一要素には同一符号を付すこととし、重複する説明は省略する。また、図面の寸法比率は図示の比率に限られるものではない。
【００３２】
（第１実施形態）
図１は、本考案に係る眼鏡の第１実施形態を示す斜視図である。
図１に示すように、第１実施形態に係る眼鏡１００は、左右一対のレンズＬを有するフロント部Ｆと、フロント部Ｆの両側からそれぞれ後方に延びるサイド部材１０とを備える。
そして、サイド部材１０には、その中央付近に下方に延びる支持部３が設けられている。
【００３３】
眼鏡１００においては、使用者の頭部を両側からサイド部材１０で挟み込み、使用者の側顔部に支持部３を当接させることにより着用される。
なお、眼鏡１００は、いわゆる鼻パッドを有していないため、使用者の鼻の高さにかかわらず、着用することができる。
したがって、着用しても鼻パッドの跡が鼻に残るという事態が生じることはない。
【００３４】
フロント部Ｆは、左右一対のレンズＬと、両レンズＬを架橋するブリッジ１と、を有する。
また、フロント部Ｆの両側には、それぞれ、ヒンジ２を介してサイド部材１０が折畳み可能となるように取付けられている。かかるヒンジ２は、公知のものを適宜採用することができる。
【００３５】
サイド部材１０は、ヒンジ２に取り付けられたテンプル部Ｔと、各テンプル部Ｔに取り付けられたモダン部Ｍとからなる。
なお、第１実施形態に係る眼鏡１００においては、上述した支持部３は、モダン部Ｍに設けられている。
【００３６】
図２は、第１実施形態に係る眼鏡におけるテンプル部のみを示す上面図である。
図２に示すように、テンプル部Ｔは、針金状となっており、その後端部ＴＢを後述するモダン部Ｍの中空部に挿入可能となっている。
ここで、テンプル部Ｔの材質は、特に限定されないが、金属製であることが好ましい。
かかる金属としては、例えば、チタン合金、ステンレス等が挙げられる。
【００３７】
図３の（ａ）は、第１実施形態に係る眼鏡のモダン部及び支持部を示す上面図であり、図３の（ｂ）は、その側面図である。
図３の（ａ）及び（ｂ）に示すように、眼鏡１００において、モダン部Ｍには、下方に延びる支持部３が設けられている。
ここで、モダン部Ｍの材質は、特に限定されないが、成形性の観点から、熱可塑性樹脂からなることが好ましい。
かかる熱可塑性樹脂としては、ポリエチレン又はポリプロピレン等のポリオレフィン、ポリ塩化ビニル、ポリスチレン、ポリ酢酸ビニル、ポリウレタン、テフロン（登録商標）、ＡＢＳ樹脂、ＡＳ樹脂、アクリル樹脂、ポリアミド、ポリアセタール、ポリカーボネート、ポリエステル、変性ポリフェニレンエーテル、ポリフェニレンスルファイド、ポリサルフォン、ポリエーテルサルフォン、非晶ポリアリレート、ポリエーテルエーテルケトン、ポリイミド、ポリアミドイミド、セルロースプロピオネート、セルロースアセテート等が挙げられる。
【００３８】
モダン部Ｍは、その前端から長手方向に沿って中空となった中空部５を有する。
また、モダン部Ｍは、使用者の頭部に沿うように、後部が屈曲しており、着用の際には、当該後部が使用者の耳に引掛けられるようになっている。
【００３９】
支持部３は、使用者の側顔部に当接される当接部３ｂと、該当接部３ｂとモダン部Ｍ（サイド部材１０）とを連結する連結部３ａとを有する。すなわち、支持部３においては、連結部３ａの一端がモダン部Ｍの本体部に取り付けられており、他端には当接部３ｂが取り付けられている。
このように、支持部３の連結部３ａが、モダン部Ｍに設けられているため、モダン部Ｍを交換することにより、連結部３ａも簡単に交換することができる。その結果、使用者に適合する連結部３ａを簡単に選択することができる。
【００４０】
ここで、連結部３ａ及び当接部３ｂの材質は、上述したモダン部と同じ材質にものが好適に用いられる。これらの中でも、連結部３ａ及び当接部３ｂの材質は、ポリアミドであることが好ましい。
【００４１】
連結部３ａは、モダン部Ｍから内側の斜め下方向に延びている。このため、サイド部材１０で使用者の頭部を挟み込む際に、内側に向いた支持部３が、使用者の頭部により外側に押し出される。
このとき、連結部３ａは、水平外側方向に変形する形状弾性体となっており（図１２の（ａ）参照）、且つ湾曲しているため（図１参照）、一定の復元力を発揮することができる。
したがって、眼鏡１００を着用することにより、支持部３が水平外側に向かって平行に又は捻じれて変形するため、支持部３は、その復元力に基づく当接圧で、使用者の側顔部に当接されることになる。
その結果、使用者の側顔部の形状に個人差があったとしても、簡単にフィットさせることができると共に、着用した眼鏡１００は、より一層ずれ難くなる。
【００４２】
かかる連結部３ａは、例えば、板バネからなる。なお、当該板バネは捻じれ方向にも自由度があるものが用いられる（図１２の（ｂ）参照）。この場合、着用の際に、使用者の側顔部の角度に対応するように連結部３ａを捻じらせることができ、フィット感をより向上させることができる。
【００４３】
連結部３ａは、当接部３ｂの前後方向の中間の位置で連結されている。これにより、当接部３ｂは、上述した連結部３ａの復元力に基づく当接圧を、全体から均等に発揮することができる。
また、当接部３ｂは、板状であり、モダン部Ｍに沿って前後方向に一定の距離延びた構造となっている。このため、使用者の頭部への当接部３ｂの接触面積が大きくなり、眼鏡１００を頭部にフィットさせた際の安定度が向上する。
【００４４】
当接部３ｂは、テンプル部Ｔ（サイド部材１０）と側面視で略平行となるように前後方向に延びている。このため、フィット感に優れると共に、着用した際の眼鏡の安定度が向上する。
また、眼鏡１００を着用した際に、当接される当接部３ｂの傾きから、眼鏡１００が傾いているか否かを知ることができる。
例えば、正常な状態から、眼鏡がずれて傾斜すると、目視方向と、眼鏡のレンズＬの焦点とが一致しない事態が生じ、眼が疲れ易くなる傾向にあるが、当接部３ｂの傾きから、眼鏡１００が傾いていることを察知することで、眼鏡１００の位置を適宜修正することができる。
【００４５】
図４の（ａ）は、第１実施形態に係る眼鏡のサイド部材を示す上面図であり、図４の（ｂ）は、その側面図である。
図４の（ａ）及び（ｂ）に示すように、サイド部材１０においては、モダン部Ｍの中空部５に、テンプル部Ｔの後端部ＴＢを挿入することにより、モダン部Ｍがテンプル部Ｔに取り付けられる。
このように、サイド部材１０は、構造が極めてシンプルとなっている。
【００４６】
サイド部材１０においては、モダン部Ｍの中空部５に、テンプル部Ｔの後端部ＴＢを挿入するのみならず、テンプル部Ｔの後端部ＴＢを抜去することも可能となっている。すなわち、テンプル部Ｔとモダン部Ｍとは別体となっており、モダン部Ｍは、テンプル部Ｔから着脱自在となっている。これにより、仮に、モダン部Ｍのサイズが使用者の頭部に合わない場合が生じたとしても簡単に取り換えることができる。
また、破損した場合に簡単に新しいモダン部Ｍと交換することができ、衣装や髪型等に応じて、異なるデザインのモダン部Ｍに交換することもできる。
【００４７】
図５は、第１実施形態に係る眼鏡を使用者が着用した状態を示す模式上面図である。
図５に示すように、第１実施形態に係る眼鏡１００は、使用者の頭部を両側からサイド部材１０で挟み込み、使用者の側顔部に支持部３を当接させることにより着用される。
このとき、サイド部材１０のモダン部Ｍは、後部が屈曲しているので、使用者の側頭部の形状に沿わせて簡単にフィットさせることができる。
また、支持部３は、使用者の側顔部の角度に対応するように連結部３ａを捻じらせることにより、簡単にフィットさせることができる。
したがって、眼鏡１００においては、後ろ側をモダン部Ｍ、前側を支持部３で支持することにより、フィット感に優れ、掛け心地にも極めて優れるものとなる。
【００４８】
（第２実施形態）
第２実施形態に係る眼鏡は、左右一対のレンズを有するフロント部と、フロント部の両側からそれぞれ後方に延びるサイド部材とを備える。
そして、サイド部材には、下方に延びる支持部３１が設けられている。
すなわち、第２実施形態に係る眼鏡は、支持部の構造が異なること以外は、第１実施形態に係る眼鏡１００と同じである。
【００４９】
図６の（ａ）は、第２実施形態に係る眼鏡のサイド部材を示す上面図であり、図６の（ｂ）は、その側面図である。
図６の（ａ）及び（ｂ）に示すように、サイド部材１１において、モダン部Ｍ１には、下方に延びる支持部３１が設けられている。
そして、支持部３１は、使用者の側顔部に当接される当接部３１ｂと、該当接部３１ｂとモダン部Ｍ１（サイド部材１１）とを連結する連結部３１ａとを有する。
【００５０】
連結部３１ａは、当接部３１ｂの前後方向の前端の位置で連結されている。すなわち、第２実施形態に係る眼鏡は、連結部３１ａと当接部３１ｂとの連結位置が第１実施形態に係る眼鏡と異なっている。これにより、当接部３１ｂの当接具合を調整し易くなるという利点がある。
また、当接部３１ｂは、板状であり、モダン部に沿って連結部３１ａとの連結位置から後方に一定の距離延びた構造となっている。このため、使用者の頭部への当接部３１ｂの接触面積が大きくなり、眼鏡を頭部にフィットさせた際の安定度が向上する。
【００５１】
なお、連結部３１ａ及び当接部３１ｂの材質は、上述した第１実施形態に係る眼鏡１００の連結部３ａ及び当接部３ｂの材質と同じである。
また、連結部３１ａは、上述した第１実施形態に係る眼鏡１００の連結部３ａと同様に、モダン部Ｍ１から内側の斜め下方向に延びている。
さらに、連結部３１ａは、水平外側方向に変形する形状弾性体となっており、且つ湾曲している。
さらにまた、当接部３１ｂは、上述した第１実施形態に係る眼鏡１００の当接部３ｂと同様に、テンプル部Ｔ１と略平行となるように前後方向に延びている。
【００５２】
（第３実施形態）
第３実施形態に係る眼鏡は、左右一対のレンズを有するフロント部と、フロント部の両側からそれぞれ後方に延びるサイド部材とを備える。
そして、サイド部材には、下方に延びる支持部３２が設けられている。
すなわち、第３実施形態に係る眼鏡は、支持部の構造が異なること以外は、第１実施形態に係る眼鏡１００と同じである。
【００５３】
図７の（ａ）は、第３実施形態に係る眼鏡のサイド部材を示す上面図であり、図７の（ｂ）は、その側面図である。
図７の（ａ）及び（ｂ）に示すように、サイド部材１２において、モダン部Ｍ２は、前側且つ内側の斜め下方向に延びる支持部３２が設けられている。
そして、支持部３２は、使用者の側顔部に当接される当接部３２ｂと、該当接部３２ｂとモダン部Ｍ２（サイド部材１２）とを連結する連結部３２ａとを有する。
【００５４】
当接部３２ｂは、連結部３２ａと面一となるように連続して取り付けられている。これにより、連結部３２ａの長さを長く設定でき、弾性調節の範囲を広くできるという利点がある。
【００５５】
なお、連結部３２ａ及び当接部３２ｂの材質は、上述した第１実施形態に係る眼鏡１００の連結部３ａ及び当接部３ｂの材質と同じである。
また、連結部３１ａは、水平外側方向に変形する形状弾性体となっており、且つ湾曲している。
【００５６】
以上、本考案の好適な実施形態について説明したが、本考案は上記実施形態に限定されるものではない。
【００５７】
例えば、本実施形態に係る眼鏡において、フロント部Ｆは、左右一対のレンズＬと、両レンズＬを架橋するブリッジ１とを有しているが、ブリッジ１に連結された鼻パッドを更に有していてもよい。なお、この場合、眼鏡１００は、支持部３でも支持されるので、鼻パッドにかかる負荷も極めて小さくなり、鼻パッドの跡が鼻に残る程度は極めて少なくなる。
また、レンズＬは、フレームに取り付けられたものであってもよく、フレームのみでレンズがないものであってもよく、いわゆるフレームレスであってもよい。
【００５８】
本実施形態に係る眼鏡において、サイド部材１０は、ヒンジ２に取り付けられたテンプル部Ｔと、各テンプル部Ｔに取り付けられたモダン部Ｍとからなっているが、テンプル部Ｔ３とモダン部Ｍ３とが一体となっていてもよい。
【００５９】
図８の（ａ）は、他の実施形態に係る眼鏡のテンプル部とモダン部とが一体となったサイド部材を示す上面図であり、図８の（ｂ）は、その側面図である。
図８の（ａ）及び（ｂ）に示すように、他の実施形態に係る眼鏡において、サイド部材１３は、テンプル部Ｔ３とモダン部Ｍ３とが一体となっている。すなわち、支持部３３は、サイド部材に設けられている。
この場合、部品点数が減るため、シンプルであり、軽量化も図れる。
また、テンプル部Ｔ３及びモダン部Ｍ３の材質は、上述した金属製又は熱可塑性樹脂が好適に用いられる。なお、テンプル部Ｔ３とモダン部Ｍ３とは、同一の材質であり、一体成型で製造されるため、サイド部材１３の製造も容易となる。
【００６０】
本実施形態に係る眼鏡において、支持部３は、モダン部Ｍに設けられているが、テンプル部Ｔに設けられていてもよい。
この場合、モダン部Ｍを短く設定することができ、軽量化が図れるという利点もある。
【００６１】
図９の（ａ）は、他の実施形態に係る眼鏡の支持部とテンプル部とが一体となったサイド部材を示す上面図であり、図９の（ｂ）は、その側面図である。
図９の（ａ）及び（ｂ）に示すように、他の実施形態に係る眼鏡において、サイド部材１４は、テンプル部Ｔ４とモダン部Ｍ４とからなる。
また、支持部３４は、テンプル部Ｔ４に設けられており、且つ、テンプル部Ｔ４と支持部３４とが一体となっている。
【００６２】
この場合、支持部３４の材質は、テンプル部Ｔ４と同じ材質にものが好適に用いられる。
したがって、例えば、テンプル部Ｔ４が金属製の場合、支持部３４も金属製となるため、支持部３４の強度を高めることができる。
【００６３】
本実施形態に係る眼鏡において、支持部が、サイド部とは別体になっていてもよい。
この場合、サイド部材のみを簡単に交換することができる。
【００６４】
図１０の（ａ）は、他の実施形態に係る眼鏡の別体の支持部がテンプル部に設けられたサイド部材を示す上面図であり、図１０の（ｂ）は、その側面図である。
図１０の（ａ）及び（ｂ）に示すように、他の実施形態に係る眼鏡において、サイド部材１５は、テンプル部Ｔ５とモダン部Ｍ５とからなる。
ここで、支持部３５は、別体であり、接続部３５ｃを介して、テンプル部Ｔ５に設けられている。
また、接続部３５ｃは、断面が環状であり、内部にテンプル部Ｔ５が挿入されている。このため、接続部３５ｃは、テンプル部Ｔ５の長手方向に沿って移動可能となっている。
上記眼鏡においては、使用者の側顔部の形状に合わせて、支持部３５の位置をテンプル部Ｔ５の長手方向にスライドさせ、テンプル部Ｔ５に対する支持部３５の位置を適宜調整することができる
【００６５】
接続部３５ｃの材質は、支持部３５と同じ材質のものが好適に用いられる。
したがって、例えば、支持部３５が熱可塑性樹脂の場合、接続部３５ｃも熱可塑性樹脂となり、これらを一体成型で製造することが可能である。
【００６６】
本実施形態に係る眼鏡において、テンプル部Ｔは、針金状となっているが、板状等であってもよく、特に限定されない。
また、サイド部材１０においては、モダン部Ｍの中空部５に、テンプル部Ｔの後端部ＴＢを挿入することにより取り付けられているが、ネジ留め等で取り付けられていてもよい。
【００６７】
本実施形態に係る眼鏡において、モダン部Ｍ６は、１本の曲線状のものとなっているが、後方に向けて上下に分岐していてもよい。
図１１は、他の実施形態に係る眼鏡のサイド部材を示す模式図である。
図１１に示すように、他の実施形態に係る眼鏡においては、モダン部Ｍ６が、後方に向けて上下に分岐しているため、着用した際の眼鏡の安定度が向上する。
【００６８】
本実施形態に係る眼鏡において、連結部３ａは、板バネからなっているが、これに限定されず、コイルばね等であってもよい。
【００６９】
本実施形態に係る眼鏡において、連結部３ａと当接部３ｂとは一体となっているが、別体であってもよい。
この場合、当接部を連結部とは異なる材料からなるものとすることができる。例えば、連結部は、弾性の大きい材質とし、当接部は皮脂などによる劣化に強い材質や皮膚アレルギーの少ない材質とすることができる。
なお、当接部３ｂと連結部３ａとが別体である場合の連結方法は、ネジ止め、溶接、接着剤を用いた貼着等が挙げられる。
また、この場合の連結部３ａの材質と、当接部３ｂの材質とは同一であっても異なっていてもよい。
【００７０】
第２実施形態に係る眼鏡において、連結部３１ａは、当接部３１ｂの前後方向の前端の位置で連結されているが、後端の位置であってもよい（図１３の（ａ）及び（ｂ）参照）。
この場合、当接部の当接具合を調整し易くなるという利点がある。
また、当接部は、板状であり、モダン部に沿って連結部との連結位置から前方に一定の距離延びた構造となっている。このため、使用者の頭部への当接部の接触面積が大きくなり、眼鏡を頭部にフィットさせた際の安定度が向上する。
【００７１】
第３実施形態に係る眼鏡において、サイド部材１２において、モダン部Ｍ２には、前側且つ内側の斜め下方向に延びる支持部３２が設けられているが、支持部は、後側且つ内側の斜め下方向に延びるものであってもよい（図１４の（ａ）及び（ｂ）参照）。
【産業上の利用可能性】
【００７２】
本考案は、近視用、老眼用、乱視用、ファッション用等の眼鏡として用いることができる。本考案によれば、使用者の頭部に簡単にフィットさせることができる。
【符号の説明】
【００７３】
１・・・ブリッジ
１０，１１，１２，１３，１４，１５、１６・・・サイド部材
１００・・・眼鏡
２・・・ヒンジ
５・・・中空部
３，３１，３２，３３，３４，３５・・・支持部
３ａ，３１ａ，３２ａ・・・連結部
３ｂ，３１ｂ,３２ｂ・・・当接部
３５ｃ・・・接続部
Ｆ・・・フロント部
Ｌ・・・レンズ
Ｍ，Ｍ１，Ｍ２，Ｍ３，Ｍ４，Ｍ５，Ｍ６・・・モダン部
Ｔ，Ｔ１，Ｔ３，Ｔ４，Ｔ５・・・テンプル部
ＴＢ・・・後端部
【図１】
0003199832.tif 000003
【図２】
0003199832.tif 000004
【図３】
0003199832.tif 000005
【図４】
0003199832.tif 000006
【図５】
0003199832.tif 000007
【図６】
0003199832.tif 000008
【図７】
0003199832.tif 000009
【図８】
0003199832.tif 000010
【図９】
0003199832.tif 000011
【図１０】
0003199832.tif 000012
【図１１】
0003199832.tif 000013
【図１２】
0003199832.tif 000014
【図１３】
0003199832.tif 000015
【図１４】
0003199832.tif 000016